(57)【特許請求の範囲】
【請求項１】
底面壁と２つの側壁を備えたフレームと、このフレームに回転可能に固定されたプラテンと、ラインサーマルヘッドを支持すると共にプラテンに対向して設けられたヘッド支持板と、ヘッド支持板をプラテン方向に押圧するヘッド押圧部材とを備え、フレームの両側壁に案内溝を設けると共にヘッド支持板に前記案内溝と係合し摺動する突出部を設け、この突出部を前記案内溝に摺動させ、ヘッド押圧部材の押圧力に抗してヘッド支持板をプラテンから離間させることで、ラインサーマルヘッドをプラテンに対して接近又は離間させるヘッドアップ部材を備えたラインサーマルプリンタにおいて、
前記案内溝は、前記ヘッド支持板が前記ヘッド押圧部材により押圧され変位する方向に形成されるとともに、前記底面壁に、前記ヘッド支持板の下端に形成された回動支点部の前記方向への変位を規制する規制部材を設け、この規制部材により規制される方向以外の方向への前記回動支点部の変位をゆるく規制したことを特徴とするラインサーマルプリンタ。
【請求項２】
前記底面壁に上方向から下方向に凹んだ回転支持溝を形成し、前記回動支点部を前記回転支持溝に係合させることで、前記ヘッド支持部材の回転軸を形成することを特徴とする請求項１に記載のラインサーマルプリンタ。
【請求項３】
前記回転支持溝が底面壁を貫通する開口を有して形成されることを特徴とする請求項２に記載のラインサーマルプリンタ。
【請求項４】
前記規制部材が、底面壁に設けられた突起により形成されていることを特徴とする請求項１に記載のラインサーマルプリンタ。
【請求項５】
前記突出部をブッシュを介して前記案内溝に嵌装することを特徴とする請求項１乃至請求項４のいずれか１に記載のラインサーマルプリンタ。
【請求項６】
前記突出部には、カムが形成されたヘッドアップ部材が突出部に対して回転可能に固定され、フレームには、前記カムに当接するカム受部が形成され、ヘッドアップ部材を回転させたときカム受部がカム面に沿って移動することで、前記突出部が前記案内溝を摺動することにより、前記ラインヘッドが前記プラテンに対して接近又は離間するように構成されたことを特徴とする請求項１乃至５のいずれか１に記載のラインサーマルプリンタ。
【請求項７】
前記案内溝は、底面壁と反対方向（上方向）に開口端を有し、前記突出部をこの開口端から前記案内溝へ挿入可能である請求項１乃至６のいずれか１に記載のラインサーマルプリンタ。
【発明の詳細な説明】
【０００１】
【発明の属する技術分野】
本発明は、全プリントラインにわたってドット状の発熱素子を有するライン型サーマル印字ヘッドにより感熱インクを発色させて印字を行うラインサーマルプリンタに関し、特に、印字ヘッドを支持するヘッド支持部材、および該ヘッド支持部材をプラテンに対して圧接および離間するためのヘッドアップ部材の構成に関する。
【０００２】
【従来の技術】
従来のラインサーマルプリンタにおいては、例えば、特開平１０−１９３７２６号公報に示す構成のものが公知となっている。
【０００３】
図１３および図１４を用いて上記従来例について説明する。図１３は、上記従来例におけるヘッド支持部材がプラテンに圧接している状態を示す側面図である。図１４は、ヘッド支持部材がプラテンから離間している状態を示す側面図である。
【０００４】
図１３および図１４において、枠体１０１にはプラテン１０２がプラテン軸１０２ａによって回転自在に取り付けられていると共に、印字ヘッド１０３を支持しているヘッド支持部材１０４がヘッド支持部材軸１０４ｄによって回動可能に取り付けられている。また、プラテン軸１０２ａには、ヘッドアップ部材１０８が回動可能に取り付けられており、ヘッドアップ部材１０８にはヘッド離間カム部１０８ｃが形成されている。
【０００５】
図１３に示す印字可能な状態から図１４に示す印字用に装着可能な状態に切り換える場合は、ヘッドアップ部材１０８をプラテン軸１０２ａに回動自在に取り付けられているヘッドアップ部材１０８を手指で回動操作して、ヘッドアップ部材１０８に形成されているヘッド離間カム部１０８ｃでヘッド支持部材１０４を押しのけて、ヘッド支持部材軸１０４ｄを回動中心として反時計方向に回動させ、印字ヘッド１０３をプラテン１０２から離間させる。
【０００６】
【発明が解決しようとする課題】
従来のラインサーマルプリンタは、上述のように、ヘッド支持部材１０４とプラテン１０２は、それぞれプラテン軸１０２ａとヘッド支持部材軸１０４ｄによって枠体１０１に取り付けられているので、ヘッド支持部材１０４とプラテン１０２との平行度が正確でない場合があり、平行度が正確でない場合には、印字ヘッド１０３はプラテン１０２に印字用紙を全幅にわたって圧接させることができず、良好な印字品質を得ることができない。
【０００７】
本発明の目的は、簡単な構造にして、印字ヘッド１０３が印字用紙を全幅にわたってプラテン１０２に圧接させることができるプリンタを提供しようとするものである。
【０００８】
【課題を解決するための手段】
上記目的を達成するために、本発明においては、底面壁と２つの側壁を備えたフレームと、このフレームに回転可能に固定されたプラテンと、ラインサーマルヘッドを支持すると共にプラテンに対向して設けられたヘッド支持板と、ヘッド支持板をプラテン方向に押圧するヘッド押圧部材とを備え、フレームの両側壁に案内溝を設けると共にヘッド支持板に前記案内溝と係合し摺動する突出部を設け、この突出部を前記案内溝に摺動させ、ヘッド押圧部材の押圧力に抗してヘッド支持板をプラテンから離間させることで、ラインサーマルヘッドをプラテンに対して接近又は離間させるヘッドアップ部材を備えたラインサーマルプリンタにおいて、前記案内溝は、前記ヘッド支持板が前記ヘッド押圧部材により押圧され変位する方向に形成されるとともに、前記底面壁に、前記ヘッド支持板の下端に形成された回動支点部の前記方向への変位を規制する規制部材を設け、この規制部材により規制される方向以外の方向への前記回動支点部の変位をゆるく規制したことを特徴とするものである。また、前記底面壁に上方向から下方向に凹んだ回転支持溝を形成し、前記回動支点部を前記回転支持溝に係合させることで、前記ヘッド支持部材の回転軸を形成する。
【０００９】
また、前記回転支持溝が底面壁を貫通する開口を有して形成される。
また、前記規制部材が、底面壁に設けられた突起により形成される。
また、ヘッド押圧部材のヘッド支持板に対する力の作用点が、ラインサーマルヘッドとプラテンの接触点の近傍となっている。
また、前記突出部をブッシュを介して前記案内溝に嵌装する。
また、前記突出部には、カムが形成されたヘッドアップ部材が突出部に対して回転可能に固定され、フレームには、前記カムに当接するカム受部が形成され、ヘッドアップ部材を回転させたときカム受部がカム面に沿って移動することで、前記突出部が前記案内溝を摺動することにより、前記ラインヘッドが前記プラテンに対して接近又は離間するように構成する。
また、前記案内溝は、底面壁と反対方向（上方向）に開口端を有し、前記突出部をこの開口端から前記案内溝へ挿入可能である。
【００１０】
【発明の実施の形態】
以下発明の実施の形態を実施例に基づき図面を参照して説明する。
図１は、本発明に係る一実施例を斜め上方から見た状態を示す斜視図である。
図２は、図１におけるヘッド支持部材を枠体に組み付ける前の状態を示す説明図である。
図３は、図１におけるＡ−Ａ線矢視の状態を示す側面図である。
図４は、図１におけるＢ−Ｂ線断面の状態を示す断面図である。図５は、図１におけるＣ−Ｃ線断面の状態を示す断面図である。
図６は、図３に示すヘッドアップ部材を時計方向に回動させた状態を示す側面図である。
図７は、ヘッドアップ部材が図６に示す状態にあるときの、図１におけるＢ−Ｂ線断面の状態を示す断面図である。
図８は、ヘッドアップ部材が図６に示す状態にあるときの、図１におけるＣ−Ｃ線断面の状態を示す断面図である。
図９は、図６に示すヘッドアップ部材を更に時計方向に回動させた状態を示す側面図である。
図１０は、ヘッドアップ部材が図９に示す状態にあるときの、図１におけるＢ−Ｂ線断面の状態を示す断面図である。
図１１は、本発明の第２の実施例を示すものである。
図１３は、本発明の第３の実施例を示すものである。
【００１１】
図１において、本発明に係る一実施例の主要構成について説明する。枠体１には、プラテン２がプラテン軸２ａによって回転可能に取り付けられ、プラテン２には印字用紙１０が装着されている。また、枠体１にはヘッド支持部材４がスライドおよび回動可能に取り付けられている。ヘッド支持部材４の右端には右摺動子（ブッシュ）５が固着され、左端４ｃには左摺動子（ブッシュ）６が固着されている。右摺動子５は枠体１に形成されているヘッド支持部材案内溝１ｃにはめ合わされ、左摺動子６は枠体１に形成されているヘッド支持部材案内溝１ｄにはめ合わされ、ヘッド支持部材４をプラテン２に対して近接および離間方向にスライド可能としている。ヘッド支持部材４には図４に示すように印字ヘッド３が固着されていると共に、左摺動子６には、手指で操作することによりヘッド支持部材４をプラテン２に対して圧接および離間させるためのヘッドアップ部材８が取り付けられている。ヘッド支持部材４は、ヘッド押圧部材７によってプラテン２の方向に付勢され、該付勢力により、印字ヘッド３はプラテン２に装着されている印字用紙１０に押圧されている。更に、枠体１には、印字用紙１０を搬送するためにプラテン２を回転駆動するためのモータ９が取り付けられている。
【００１２】
図２において、図１に示すヘッド支持部材４を枠体１に組み付けるときの状態について説明する。ヘッド支持部材４には、回動支点部４ａ、４ｂと左端４ｃが形成されている。また、右端には右摺動子５が固着され、左端４ｃには左摺動子６が固着されている。更に、左摺動子６には、ヘッド支持部材４に対してヘッドアップ部材８が回動可能に取り付けられている。枠体１にはヘッド押圧部材７を収納保持するための凹部１ａ、１ｂが形成されており、右摺動子５を案内するためのヘッド支持部材案内溝１ｃ、左摺動子６を案内するためのヘッド支持部材案内溝１ｄ、およびヘッドアップ部材８に当接するためのカム受部１ｅ、回動支点部４ａ、４ｂを支承するための２カ所のヘッド支持部材支承部１ｆが形成されている。
【００１３】
ヘッド支持部材４を枠体１に組み付ける際には、右摺動子５をヘッド支持部材案内溝１ｃにはめ合わせると共に左摺動子６をヘッド支持部材案内溝１ｄにはめ合わせ、ヘッド支持部材４に形成されている回動支点部４ａ、４ｂを、枠体１に形成されている凹部１ａ、１ｂにはめ合わせる。続いて、ヘッド押圧部材７を凹部１ａ、１ｂに挿入する。枠体１に装着されたヘッド押圧部材７は、ヘッド支持部材４をプラテン２に対して圧接するように付勢する。
【００１４】
図３において、図１におけるプリンタのＡ−Ａ線矢視の状態について説明する。ヘッドアップ部材８には、手指でヘッドアップ部材８を回動操作するためのヘッドアップ操作部８ａが設けられている。また、３つのカム面８ｂ、８ｃ、８ｄが設けられ、ヘッドアップ部材８が図３に示す状態のときには、ヘッド支持部材４がヘッド押圧部材７により付勢されて印字ヘッド３がプラテンに対して印字可能な位置となる。そして、ヘッドアップ部材が回転すると、カム面８Ｃが枠体１に設けられたカム受部１ｅに当接しヘッド支持部材４をヘッド押圧部材７の付勢力に抗して印字ヘッド３を印字可能位置からプラテントの間に僅かな隙間を開けるように離間する。さらに、ヘッドアップ部材８を回転させると次にカム面８ｄがカム受部１ｅに当接しヘッド支持部材４はさらにプラテンから離間する。
【００１５】
図４において、図１におけるプリンタのＢ−Ｂ線断面の状態について説明する。ヘッド支持部材４には印字ヘッド３が固着されており、ヘッド支持部材４の下端に形成されている回動支点部４ａ、４ｂは、枠体１に形成されている凹部１ａ、１ｂにゆるく嵌入している。また、用紙後方挿入口１ｇおよび用紙下方挿入口１ｈが形成されており、図４においては、印字用紙１０は用紙後方挿入口１ｇから挿入され、プラテン２の前方を通って上方に排出されるように装着されている。図３に示すようにヘッドアップ部材８のヘッドアップ操作部８ａが、ほぼ水平の姿勢に倒されていると、ヘッドアップ部材８は、プラテン２の方向への移動をカム受部１ｅによって制限されることなく、ヘッド支持部材４は、ヘッド押圧部材７の付勢力によってプラテン２に装着されている印字用紙１０に対して印字ヘッド３を圧接している。この状態は印字が可能な状態である。
【００１６】
図５において、図１におけるプリンタのＣ−Ｃ線断面の状態について説明する。枠体１に形成されているヘッド支持部材案内溝１ｃには右摺動子５がはめ合わされ、また、図示せぬヘッド支持部材案内溝１ｄには左摺動子６がはめ合わされ、併せてヘッド支持部材４がプラテン２に対して近接および離間方向に移動し得るように案内されており、ヘッド支持部材４がプラテン２に対して近接および離間方向に移動し得るように案内されている。また、右摺動子５がヘッド支持部材案内溝１ｃに案内され、左摺動子６がヘッド支持部材案内溝１ｄに案内され、併せて回動支点部４ａ、４ｂがゆるく嵌入していることにより、ヘッド支持部材４に固着されている印字ヘッド３はプラテン２に片当たりすることなく全幅にわたって密着することができる。
【００１７】
図６において、図３における状態からヘッドアップ操作端８ａを操作してヘッドアップ部材８を時計方向に回動した状態について説明する。図３における状態からヘッドアップ部材８を時計方向に回動させると、ヘッド第１離間カム部８ｃがカム受部１ｅに対向し当接する。ヘッド第１離間カム部８ｃはヘッド押圧カム部８ｂよりもカムの高さが高く、ヘッドアップ部材８は、プラテン２の方向への移動をカム受部１ｅによって制限された状態である。
【００１８】
図７において、図４における状態からヘッドアップ部材８を時計方向に回動して図６に示す位置に切り替えた状態について説明する。図６に示すようにヘッドアップ部材８のヘッドアップ操作部８ａが、水平の姿勢から時計方向に回動された位置に位置決めされてヘッド第１離間カム部８ｃがカム受部１ｅに対向し当接すると、ヘッドアップ部材８は、プラテン２の方向への移動をカム受部１ｅによって制限された状態となり、ヘッド支持部材４は、ヘッド押圧部材７の付勢力に抗して時計方向に回動し、印字ヘッド３はプラテン２から離間する。この状態は印字用紙１０の装着が可能な状態である。
【００１９】
図８において、図５における状態からヘッドアップ部材８を時計方向に回動して図６に示す位置に切り替えた状態について説明する。ヘッドアップ部材８を図５における状態から図６に示す状態に切り替えると、右摺動子５はヘッド支持部材案内溝１ｃに沿い、併せて図示せぬ左摺動子６はヘッド支持部材案内溝１ｄに沿って右方向に移動し、ヘッド支持部材４は、回動支点部４ａ、４ｂを支点として時計方向に回動してプラテン２に対して離間方向に移動し図８に示す状態となる。
【００２０】
図９において、図６における状態からヘッドアップ部材８を更に時計方向に回動して図９に示す位置に切り替えた状態について説明する。図６における状態からヘッドアップ操作端８ａを操作してヘッドアップ部材８を更に時計方向に回動させると、ヘッド第２離間カム部８ｄがカム受部１ｅに対向し当接する。ヘッド第２離間カム部８ｄはヘッド押圧カム部８ｃよりもカムの高さが高いので、ヘッドアップ部材８が取り付けられているヘッド支持部材４は、回動支点部４ａ、４ｂを支点として時計方向に回動してプラテン２に対して離間する。この状態は紙詰まりを起こした印字用紙１０取り除くことが可能な状態であり、また、汚れた印字ヘド３を清掃することが可能な状態である。
【００２１】
図１０において、図７における状態からヘッドアップ部材８を更に時計方向に回動して図１０に示す位置に切り替えた状態について説明する。図９に示すようにヘッドアップ部材８のヘッドアップ操作部８ａが、図６に示す姿勢から時計方向に回動された位置に位置決めされてヘッド第２離間カム部８ｄがカム受部１ｅに対向し当接すると、ヘッドアップ部材８は、カム受部１ｅに押しのけられてプラテン２から離間する方向へ更に移動し、ヘッド支持部材４は、ヘッド押圧部材７の付勢力に抗して時計方向に回動し、印字ヘッド３はプラテン２から離間する。この状態は印字用紙１０の装着が可能な状態である。
【００２２】
図１１は、本発明の第２の実施例を示すものである。ヘッド支持部材４の回転支点部４ａ、４ｂは、枠体１に設けられた回転支持溝１ｉに緩く嵌合して装着されている。
【００２３】
図１２は、本発明の第３の実施例を示すものである。ヘッド支持部材４の回転支点部４ａ、４ｂは、枠体１に設けられた突起によりヘッド押圧部材による付勢の方向へのヘッド支持部材４の移動を規制される。
【００２４】
【発明の効果】
本発明によれば、印字ヘッドを支持するヘッド支持部材の回動支点部が枠体に取り付けられていないので、印字ヘッドはプラテンに片当たりすることなく印字用紙を全幅にわたってプラテンに圧接させることができるプリンタを提供することができる。
【図面の簡単な説明】
【図１】本発明に係る一実施例を斜め上方から見た状態を示す斜視図である。
【図２】図１におけるヘッド支持部材を組み付ける前の状態を示す説明図である。
【図３】図１におけるＡ−Ａ線矢視の状態を示す側面図である。
【図４】図１におけるＢ−Ｂ線断面の状態を示す断面図である。
【図５】図１におけるＣ−Ｃ線断面の状態を示す断面図である。
【図６】図３に示すヘッドアップ部材を時計方向に回動させた状態を示す側面図である。
【図７】ヘッドアップ部材が図６に示す状態にあるときの、図１におけるＢ−Ｂ線断面の状態を示す断面図である。
【図８】ヘッドアップ部材が図６に示す状態にあるときの、図１におけるＣ−Ｃ線断面の状態を示す断面図である。
【図９】図６に示すヘッドアップ部材を更に時計方向に回動させた状態を示す側面図である。
【図１０】ヘッドアップ部材が図９に示す状態にあるときの、図１におけるＢ−Ｂ線断面の状態を示す断面図である。
【図１１】本発明の第２の実施例を示す。
【図１２】本発明の第３の実施例を示す。
【図１３】従来例におけるヘッド支持部材がプラテンに圧接している状態を示す側面図である。
【図１４】図１１の状態から切り換えられて、ヘッド支持部材がプラテンから離間している状態を示す側面図である。
【符号の説明】
１  枠体
１ａ  凹部
１ｂ  凹部
１ｃ  ヘッド支持部材案内溝
１ｄ  ヘッド支持部材案内溝
１ｅ  カム受部
１ｆ  ヘッド支持部材支承部
１ｇ  用紙後方挿入口
１ｈ  用紙下方挿入口
１ｉ  回転支持溝
１ｊ  突起
２  プラテン
２ａ  プラテン軸
３  印字ヘッド
４  ヘッド支持部材
４ａ  回動支点部
４ｂ  回動支点部
４ｃ  左端
５  右摺動子
６  左摺動子
７  ヘッド押圧部材
７ａ  コイル部
７ｂ  ヘッド支持部材当接部
７ｃ  右固定端部
７ｄ  つまみ部
７ｅ  左固定端部
８  ヘッドアップ部材
８ａ  ヘッドアップ操作部
８ｂ  ヘッド押圧カム部
８ｃ  ヘッド第１離間カム部
８ｄ  ヘッド第２離間カム部
９  モータ
１０  印字用紙
【図１】
0004451526.tif 000002
【図２】
0004451526.tif 000003
【図３】
0004451526.tif 000004
【図４】
0004451526.tif 000005
【図５】
0004451526.tif 000006
【図６】
0004451526.tif 000007
【図７】
0004451526.tif 000008
【図８】
0004451526.tif 000009
【図９】
0004451526.tif 000010
【図１０】
0004451526.tif 000011
【図１１】
0004451526.tif 000012
【図１２】
0004451526.tif 000013
【図１３】
0004451526.tif 000014
【図１４】
0004451526.tif 000015